(57)【要約】【課題】光源ユニットと回路ユニットとが簡単な構造で支持される照明装置を提供する。【解決手段】照明装置は、裏面に放熱フィン２１が設けられた放熱板２３の表面に光源モジュールを備える光源ユニット２と、光源モジュールに点灯電力を供給する点灯回路を支持板４３の裏面に備える回路ユニット４と、放熱板２３と支持板４３とを対向状態で連結する２枚の連結板６１を備える枠体６とを備える。【選択図】図３
2018195459.tif 000002
【特許請求の範囲】
【請求項１】
裏面に放熱フィンが設けられた放熱板の表面に光源モジュールを備える光源ユニットと、
前記光源モジュールに点灯電力を供給する点灯回路を支持板の裏面に備える回路ユニットと、
前記放熱板と前記支持板とを対向状態で連結する２枚の連結板を備える枠体と
を備える照明装置。
【請求項２】
前記放熱板及び前記支持板は方形状、矩形状又はこれらに近い形状をし、
前記２枚の連結板は、前記放熱板及び前記支持板における第１方向の両端部同士を、前記光源ユニットと前記回路ユニットとの間に隙間が存在する状態で、連結する
請求項１に記載の照明装置。
【請求項３】
前記連結板は、前記放熱板と前記支持板とを連結する一対の連結本部と、前記一対の連結本部同士を連結する連結補助部とを有する
請求項２に記載の照明装置。
【請求項４】
前記放熱板は、方形状、矩形状又はこれらに近い形状をする平板部と、前記平板部の周縁から前記回路ユニット側に立設する立設部とを有し、
前記連結本部における前記光源ユニット側に存在する端部は、前記放熱板の立設部に固定具により固定される固定部分と、前記放熱板の平板部又は前記放熱板の立設部に表側から係合する係合部分とを有する
請求項３に記載の照明装置。
【請求項５】
前記連結本部は、前記放熱板の平板部における前記第１方向の端部に位置する立設部に当接する第１当接部分と、前記放熱板の平板部における前記第１方向と直交する第２方向の端部に位置する立設部に当接する第２当接部分とを有し、
前記第１当接部分及び前記第２当接部分の少なくとも一方に前記固定部分が設けられ、
前記第１当接部分及び前記第２当接部分の少なくとも一方に前記係合部分が設けられている
請求項４に記載の照明装置。
【請求項６】
前記支持板は、方形状、矩形状又はこれらに近い形状をする平板部と、前記平板部の周縁から前記光源ユニット側に立設する立設部とを有し、
前記連結板の前記連結本部及び前記連結補助部の少なくとも一方は、前記支持板の前記立設部と対向する
請求項３〜５の何れか１項に記載の照明装置。
【請求項７】
前記支持板の前記立設部は、前記連結板の前記連結本部及び前記連結補助部の少なくとも一方に固定具により固定される固定部分と、前記連結本部及び前記連結補助部の少なくとも一方に係合する係合部分とを有する
請求項６に記載の照明装置。
【請求項８】
前記光源ユニットは前記光源モジュールを覆う光源カバーを備え、
前記光源カバーは、前記放熱板に固定具により固定される固定部と、前記放熱板に係合する係合部とを有する
請求項１〜７の何れか１項に記載の照明装置。
【発明の詳細な説明】
【技術分野】
【０００１】
本発明は、光源ユニットと回路ユニットとを備える照明装置に関する。
【背景技術】
【０００２】
光源ユニットと回路ユニットとを支柱枠組により支持された照明装置（照明器具）が提案されている（例えば特許文献１）。
特許文献１によると、「上開口部と下開口部とを有する柱状の配置空間を形成した支柱枠組において、前記上開口部から前記下開口部に渡って配置された２個の支柱主支柱、２個の主支柱と、２個の主支柱、２個の主支柱とを連結した２個のガード、２個のガードとを備え、前記ガードと前記主支柱とをネジで組み合わせた。支柱枠組の配置空間に光源ユニットを配置して照明装置を製造する。」とされている。
【先行技術文献】
【特許文献】
【０００３】
【特許文献１】特開２０１７−４１３２６号公報
【発明の概要】
【発明が解決しようとする課題】
【０００４】
上記照明器具では支柱枠組の構造が複雑であるという課題がある。
本発明は、光源ユニットと回路ユニットとが簡単な構造で支持される照明装置を提供することを目的とする。
【課題を解決するための手段】
【０００５】
本発明に係る照明装置は、実施形態の一態様に係る照明装置は、裏面に放熱フィンが設けられた放熱板の表面に光源モジュールを備える光源ユニットと、前記光源モジュールに点灯電力を供給する点灯回路を支持板の裏面に備える回路ユニットと、前記放熱板と前記支持板とを対向状態で連結する２枚の連結板を備える枠体とを備える。
【発明の効果】
【０００６】
上記構成によれば、光源ユニットと回路ユニットとが２枚の連結板で連結されるため、簡単な構造で光源ユニットと回路ユニットとが支持される。
【図面の簡単な説明】
【０００７】
【図１】実施形態の照明装置を照射方向から見た斜視図である。
【図２】分解状態の照明装置を照射方向から見た斜視図である。
【図３】１つの装置本体を示す図であり、（ａ）は照射方向から見た斜視図であり、（ｂ）は設置面側から見た斜視図である。
【図４】光源ユニットを示す図であり、（ａ）は照射方向から見た斜視図であり、（ｂ）は設置面側から見た斜視図である。
【図５】光源ユニットから光源カバーを取り外した状態を照射方向から見た斜視図である。
【図６】分解状態の光源ユニットを照射方向から見た斜視図である。
【図７】分解状態の光源ユニットを設置面側から見た斜視図である。
【図８】回路ユニットから回路カバーを取り外した状態を設置面側から見た図である。
【図９】分解状態の回路ユニットを照射方向から見た斜視図である。
【図１０】分解状態の回路ユニットを設置面側から見た斜視図である。
【図１１】（ａ）は連結板を表側から見た斜視図であり、（ｂ）は連結板を裏側から見た斜視図である。
【発明を実施するための形態】
【０００８】
＜概要＞
実施形態の一態様に係る照明装置は、裏面に放熱フィンが設けられた放熱板の表面に光源モジュールを備える光源ユニットと、前記光源モジュールに点灯電力を供給する点灯回路を支持板の裏面に備える回路ユニットと、前記放熱板と前記支持板とを対向状態で連結する２枚の連結板を備える枠体とを備える。
実施形態の別態様に係る照明装置において、前記放熱板及び前記支持板は方形状、矩形状又はこれらに近い形状をし、前記２枚の連結板は、前記放熱板及び前記支持板における第１方向の両端部同士を、前記光源ユニットと前記回路ユニットとの間に隙間が存在する状態で、連結する。これにより、光源モジュールから発生した熱を放熱フィンで効率よく放出できる。
実施形態の別態様に係る照明装置において、前記連結板は、前記放熱板と前記支持板とを連結する一対の連結本部と、前記一対の連結本部同士を連結する連結補助部とを有する。これにより、連結板の強度が確保される。
実施形態の別態様に係る照明装置において、前記放熱板は、方形状、矩形状又はこれらに近い形状をする平板部と、前記平板部の周縁から前記回路ユニット側に立設する立設部とを有し、前記連結本部における前記光源ユニット側に存在する端部は、前記放熱板の立設部に固定具により固定される固定部分と、前記放熱板の平板部又は前記放熱板の立設部に表側から係合する係合部分とを有する。これにより、連結板と放熱板との連結の信頼性を向上できる。
【０００９】
実施形態の別態様に係る照明装置において、前記連結本部は、前記放熱板の平板部における前記第１方向の端部に位置する立設部に当接する第１当接部分と、前記放熱板の平板部における前記第１方向と直交する第２方向の端部に位置する立設部に当接する第２当接部分とを有し、前記第１当接部分及び前記第２当接部分の少なくとも一方に前記固定部分が設けられ、前記第１当接部分及び前記第２当接部分の少なくとも一方に前記係合部分が設けられている。これにより、連結板に対して放熱板がガタつきなく連結される。
実施形態の別態様に係る照明装置において、前記支持板は、方形状、矩形状又はこれらに近い形状をする平板部と、前記平板部の周縁から前記光源ユニット側に立設する立設部とを有し、前記連結板の前記連結本部及び前記連結補助部の少なくとも一方は、前記支持板の前記立設部と対向する。これにより、支持板の立設部と前記連結本部及び連結補助部の少なくとも一方とが対向する方向にガタつきなく支持板が連結される。
実施形態の別態様に係る照明装置において、前記支持板の前記立設部は、前記連結板の前記連結本部及び前記連結補助部の少なくとも一方に固定具により固定される固定部分と、前記連結本部及び前記連結補助部の少なくとも一方に係合する係合部分とを有する。これにより、支持板と放熱板との連結の信頼性を向上できる。
実施形態の別態様に係る照明装置において、前記光源ユニットは前記光源モジュールを覆う光源カバーを備え、前記光源カバーは、前記放熱板に固定具により固定される固定部と、前記放熱板に係合する係合部とを有する。これにより、光源カバーと放熱板との装着の信頼性を向上できる。
【００１０】
＜実施形態＞
１．概要
主に、図１〜図３を用いて説明する。
実施形態に係る照明装置１は、光源ユニット２と回路ユニット４とが枠体６により支持されてなる装置本体８を備える。ここでの照明装置１は、例えば、高天井等に取り付けられて下方を照射したり、地面等に取り付けられて斜め上方を照射したりする。このため、照明装置１は、装置本体８を取付面や設置面等に取り付けるためのアーム９を備える。
ここでの照明装置１は２個の装置本体８を併設して備える。２個の装置本体８は同じ構成を有している。また、装置本体８から光が出射される方向を表側とする。装置本体８を表側から見たときに、装置本体８は矩形状をしており、その長手方向を単に長手方向ともいい、その短手方向を単に短手方向ともいう。
以下、各部について説明する。
【００１１】
２．光源ユニット
主に図４〜図７を用いて説明する。
光源ユニット２は放熱フィン２１を裏面に有する放熱板２３の表面に光源モジュール２５を備える。ここでの光源ユニット２は光源モジュール２５を覆う光源カバー２７を備える。ここでの光源ユニット２は光学部材２９を備える。なお、光学部材２９は光源モジュール２５から発せられた光を反射させる反射部を備える。また、放熱フィン２１と放熱板２３とでヒートシンクが構成される。
【００１２】
（１）放熱フィン
放熱フィン２１は光源モジュール２５で発生した熱を放出する。具体的には、光源モジュール２５から放熱板２３を経由して放熱フィン２１に伝わった熱が、放熱フィン２１の周辺を対流する空気に放出される。
放熱板２３は矩形状に近い形状をしている。放熱板２３は、図３（ａ）に示すように、放熱フィン２１と回路ユニット４との間に空間が生じるように、枠体６に連結されている。回路ユニット４（支持板４３）との間に空間を設けるのは、循環する空気に放熱フィン２１からの熱を効率よく放出させるためである。
放熱フィン２１は放熱板２３の短手方向に間隔をおいて放熱板２３の長手方向に沿って複数設けられている。放熱フィン２１は、例えば、薄肉金属板をプレス加工して横断面が「Ｌ」字状に構成された第１フィン２１１と第２フィン２１２とを組み合わせて（図４及び図５参照）、横断面が「コ」字状をしている。なお、第１フィン２１１と第２フィン２１２は便宜上「第１」と「第２」としており、一方を「第１」とする根拠は特にない。
第１フィン２１１及び第２フィン２１２は、「Ｌ」字を構成する短辺に相当する板状部が重ねられた状態で、放熱板２３に固定されている。ここでの第１フィン２１１及び第２フィン２１２は略同じ構成（形状）をしているが、放熱板２３への固定位置によって異なる構成の第１フィンと第２フィンを利用してもよい。第１フィン２１１及び第２フィン２１２の放熱板２３への固定には例えば溶接が利用されているが、例えば、リベットやねじ体等の他の固定方法・固定手段で第１フィンと第２フィンを放熱板に固定してもよい。放熱フィン２１は、第１フィン２１１と第２フィン２１２とを一体でプレス加工して「コ」字状の横断面となる放熱フィン２１としてもよい。
【００１３】
（２）放熱板
放熱板２３は光源モジュール２５を表面に装着するモジュール装着機能を有している。放熱板２３は、光源モジュール２５で発生した熱の一部を放熱する放熱機能と、光源モジュール２５で発生した熱の一部を放熱フィン２１に伝導する熱伝導機能とを有する。放熱板２３は光源カバー２７を装着するカバー装着機能を有している。放熱板２３は光源ユニット２が枠体６に連結される連結機能を有している。
【００１４】
放熱板２３は、矩形状をする平板部２３１と、平板部２３１の周縁から回路ユニット４側に立設する立設部２４１，２４２とを有する。ここで、平板部２３１の長辺側端縁から立設する立設部を長立設部２４１とし、短辺側端縁から立設する立設部を短立設部２４２とする。なお、長立設部２４１と短立設部２４２とを区別する必要がない場合、立設部２４１，２４２とする。
【００１５】
（２−１）平板部
平板部２３１は光源カバー２７を装着するためのカバー装着手段を有する。ここでは、光源カバー２７は２種類のカバー装着手段により放熱板２３に装着され、第１カバー装着手段が平板部２３１にあり、第２カバー装着手段が立設部２４１，２４２にある。
ここでは、光源カバー２７を固定具で固定しており、固定具として例えばねじ体２０１を利用する場合は、第１カバー装着手段はねじ孔２３４により構成される。なお、ねじ体２０１は４個あり、ねじ孔２３４も４個あり、矩形状の平板部２３１の４隅に設けられている。
【００１６】
平板部２３１は光源モジュール２５を装着するためのモジュール装着手段を有する。ここでは、光源モジュール２５を固定具で固定しており、固定具として例えばねじ体２０３を利用する場合は、モジュール装着手段はねじ孔２３５（図６参照）により構成される。なお、ねじ体２０１は６個あり、ねじ孔２３５も６個あり、４個のねじ孔２３４を結んでなる仮想の矩形状の内側に設けられている。
【００１７】
平板部２３１は、回路ユニット４と光源ユニット２（光源モジュール２５）とを電気接続するケーブル用の貫通孔２３６を有する（図６参照）。なお、貫通孔２３６にはケーブ用のブッシュ２０４が嵌められている。
平板部２３１は光学部材２９用の光学部材位置決手段を有している。ここでは、光学部材２９は傾斜部２９４の内面に凸部２９６を有しており、平板部２３１は凸部２９６が嵌る凹み又は貫通孔２３７を有している。つまり、光学部材位置決手段は貫通孔２３７により構成される。なお、凸部２９６は平板部２３１の長手方向に間隔をおいて２個あり、貫通孔２３７も２個ある。
【００１８】
（２−２）立設部
立設部２４１，２４２は例えば板状部材をプレスすることで得られる。ここでの立設部２４１，２４２は平板部２３１の各辺の全長に亘って形成されている。
立設部２４１，２４２は、光源カバー２７を装着するための第２カバー装着手段を有する。ここでは、光源カバー２７は裏側に突出する突出片２８７を有しており、第２カバー装着手段は係止部（突出片２８７の凸部２８９である）が係合する貫通孔２４３により構成される。なお、突出片２８７の凸部２８９は、貫通孔２４３を構成する表裏方向の両開口面間に位置する。これにより、ねじ体２０１がなくても、光源カバー２７が表裏方向に外れ難くできる。
なお、光源カバー２７の突出片２８７は、矩形状の環状板部２７１の各辺の両端間の中間部位に合計１０個あり、貫通孔２４３は突出片２８７に対応した部位に合計１０個設けられている。
【００１９】
立設部２４１，２４２は、枠体６の連結板６１に連結される光源側連結手段を有している。ここでは、放熱板２３は２種類の光源側連結手段により連結板６１に連結され、第１光源側連結手段が長立設部２４１にあり、第２光源側連結手段が立設部２４２と平板部２３１との境界部分にある。
【００２０】
第１光源側連結には固定具が利用される。固定具として、図３に示すように、ねじ体２０５を利用しており、第１光源側連結手段はねじ孔２４４により構成される。なお、長立設部２４１は薄肉の板状部材から構成されているため、ねじ孔２４４はバーリング加工により形成されている。ねじ孔２４４は長立設部２４１における平板部２３１の長手方向の両端に設けられている。
【００２１】
第２光源側連結には係合構造が利用される。連結板６１は係止片６８を有しており（図１１参照）、第２光源側連結手段は係止片６８が係合する貫通孔２４５により構成される。なお、係止片６８は、貫通孔２４５を構成する表裏方向の裏側端面に係合する。これにより、光源ユニット２が下方を照射するように設置された場合において、ねじ体２０５がなくても光源ユニット２が落下し難くできる。
なお、貫通孔２４５は各短立設部２４２における矩形状の平板部２３１の短手方向の両端側に設けられている。
【００２２】
（３）光源モジュール
光源モジュール２５は、表側から見たときに矩形状をする、所謂角型光源モジュールである。光源モジュール２５は、複数個のＬＥＤ素子２５１と、複数のＬＥＤ素子２５１を実装するＬＥＤ基板２５３とから構成される。光源モジュール２５は受電用のコネクタ２５５をＬＥＤ基板２５３に有している。コネクタ２５５は回路ユニット４に接続されているケーブルに着脱自在に接続される。
【００２３】
複数個のＬＥＤ素子２５１は、マトリクス状に配され、全体としてＬＥＤ基板２５３の長手方向に長い矩形状をしている。ここでのＬＥＤ素子２５１は所謂Ｍｉｄ  Ｐｏｗｅｒのチップである。
ＬＥＤ基板２５３はここでは矩形状の放熱板２３の長手方向に長い矩形状をしている。ＬＥＤ基板２５３の大きさは、放熱板２３における放熱フィン２１を搭載するフィン領域の大きさよりも小さい。つまり、光源ユニット２を投影したときに、ＬＥＤ基板２５３はフィン領域よりも小さくフィン領域内に位置する。これにより、ＬＥＤ素子２５１の熱を効率よく放出できる。
ＬＥＤ基板２５３は、ブッシュ２０４（ケーブル）用の貫通孔２５７、光源モジュール２５を放熱板２３へ装着するためのねじ体２０３用の貫通孔２５８、光学部材２９を位置決めするための凸部２９６用の貫通孔２５９を有する。なお、貫通孔２５８はモジュール装着手段の一例を構成する。
【００２４】
（４）光源カバー
光源カバー２７は、中央部が凹入する矩形状のトレイ状をしている。光源カバー２７は環状板部２７１と膨出部２８１とを有する。光源カバー２７は放熱板２３への装着用のカバー装着手段も有している。光源カバー２７は光学部材２９を放熱板２３に設ける機能を有している。
【００２５】
（４−１）環状板部
環状板部２７１は矩形環状をしている。環状板部２７１は光源モジュール２５の長手方向に長い形状をしている。環状板部２７１の裏面は放熱板２３の平板部２３１おける光源モジュール２５又は光学部材２９の外周部分に対向する。なお、ここでは裏面は平板部２３１に当接する。
環状板部２７１は内周縁に近い部位に周方向に連続する溝２７３を裏面に有している（図７参照）。溝２７３は図示省略のパッキン用である。パッキンは光源カバー２７と放熱板２３との密着性を向上させる。これにより、空気中に分散するオイル成分がＬＥＤ素子２５１等に付着するのを防止できる。
環状板部２７１は一対の短辺部分２７５と一対の長辺部分２７７とを有する。短辺部分２７５は両長辺部分２７７に近い部位に欠け部２７８を有している。欠け部２７８は連結板６１の係止片６８用である。
環状板部２７１の角部分、つまり、短辺部分２７５と長辺部分２７７とが交わる部分に、貫通孔２７９を有している。貫通孔２７９はねじ体２０１用である。なお、この貫通孔２７９は、後述の第１カバー装着手段の一例に相当する。また、貫通孔２７９の周辺部分がねじ体２０１により放熱板２３に固定される固定部の一例である。
【００２６】
（４−２）膨出部
膨出部２８１は環状板部２７１の内周縁から表側に膨出する。膨出部２８１と放熱板２３との間の空間に光源モジュール２５及び光学部材２９を収容する。膨出部２８１は収容状態の光学部材２９や光源モジュールがガタつかないような構成を有している。
膨出部２８１は、環状板部２７１の内周縁から表側に立設する立設部分２８３と、立設部分２８３の表側端を塞ぐ蓋部分２８５とを有する。立設部分２８３の内周面は光学部材２９の外周面と近接又は当接している。なお、立設部分２８３と蓋部分２８５の交わる部分は丸くなっている。
【００２７】
蓋部分２８５における光学部材２９の中央の開口２９８及びその周辺の傾斜部２９４と対向する領域は、ＬＥＤ素子２５１から発せられた光を通過させる光透過領域である。蓋部分２８５における光学部材２９の環状平板部２９２と対向する部分及び立設部分２８３は光学部材２９を位置決めする位置決め領域である。
蓋部分２８５の内面は、光源モジュール２５からの光を分散させる機能を有してもよい。分散機能は、例えば、マイクロレンズやシボ等により実施できる。
【００２８】
（４−３）装着手段
光源カバー２７は放熱板２３へのカバー装着手段を有する。ここでは、光源カバー２７は上述の２種類のカバー装着手段により装着され、第１カバー装着手段及び第２カバー装着手段が環状板部２７１にある。
第１のカバー装着には、固定具を利用しており、放熱板２３側の第１カバー装着手段とで光源カバー２７を放熱板２３に装着させる。固定具はねじ体２０１であり、第１カバー装着手段は貫通孔２７９により構成される。貫通孔２７９には、放熱板２３側の第１カバー装着手段であるねじ孔２３４に螺合するねじ体２０１が挿通する。なお、貫通孔２７９については上述の通りである。
【００２９】
第２のカバー装着には放熱板２３側の第２カバー装着手段とで係合構造を利用して光源カバー２７を放熱板２３に装着させる。第２カバー装着手段は、環状板部２７１から裏側に突出する突出片２８７と、突出片２８７の裏側端部から内側(膨出部２８１側）に突出する凸部２８９（図７参照）とにより構成される。凸部２８９は放熱板２３の貫通孔２４３に係合する。ここでの凸部２８９は放熱板２３に係合する係合部の一例である。
突出片２８７は、短辺部分２７５に２個、長辺部分２７７に３個形成されている。突出片２８７は、短辺部分２７５の両端間に、長辺部分２７７の両端間に１個又は複数個それぞれ設けられている。これにより、光源カバー２７の放熱板２３への密着性を向上させることができる。
【００３０】
（５）光学部材
主に、図５〜図７を用いて説明する。
光学部材２９は、光源モジュール２５からの光を反射させる反射部２９１を有する。反射部２９１は、全体として矩形状に配されている複数のＬＥＤ素子２５１の外周周辺に配され且つＬＥＤ素子２５１から離れるにしたがって表側に移る傾斜面により構成される。
光学部材２９は、光源カバー２７の蓋部分２８５に当接する矩形環状の環状平板部２９２と、環状平板部２９２の外周縁から裏側に立設部２９３と、環状平板部２９２の内周縁から内側狭まりに傾斜する傾斜部２９４とを有する。
【００３１】
傾斜部２９４の表面が反射部２９１の傾斜面となる。また、光学部材２９は、例えば白色の樹脂材料により構成され、その表面に反射機能を有する。なお、反射機能は例えばメッキ層を利用することもできる。光学部材２９は、矩形環状の傾斜部２９４の中央の開口２９８からＬＥＤ素子２５１が露出し、ＬＥＤ素子２５１から出射された光の一部が傾斜部２９４の表面（傾斜面）で反射される。
【００３２】
光学部材２９は、環状平板部２９２、立設部２９３及び傾斜部２９４の裏側に形成される空間を収容空間としてもよく、例えば、ケーブル等を配してもよい。また、前記収容空間にケーブルとの接続用のコネクタ２５５が位置するようにＬＥＤ基板２５３が構成されている。
光学部材２９は、環状平板部２９２から裏側に延伸して傾斜部２９４と立設部２９３とを連結するリブ２９５を有する（図７参照）。リブ２９５には、放熱板２３の短手方向と平行なリブと、放熱板２３の長手方向と平行なリブとがある。
【００３３】
光学部材２９は、放熱板２３に対して位置決めをする凸部２９６を傾斜部２９４の裏面に有する（図７参照）。なお、凸部２９６は光源モジュール２５のＬＥＤ基板２５３の貫通孔２５９を挿通して、放熱板２３の貫通孔２３７（図６参照）に進入する。
光学部材２９は、放熱板２３に対する位置決め手段（凸部２９６）を有しているが、放熱板２３への取付手段を有していない。光学部材２９の放熱板２３への配置は、膨出部２８１内に光学部材２９を収容する光源カバー２７が放熱板２３に固定されることで、行われる。
光学部材２９の外面形状と光源カバー２７の膨出部２８１の内面形状とが対応（合致）しており、光源カバー２７の放熱板２３への取り付けにより、光学部材２９が放熱板２３の所定部位に配される。
光学部材２９は光源カバー２７側（表側）に突出する凸部分２９７を環状平板部２９２に有する。ここでは凸部分２９７が矩形状の環状平板部２９２の中央部分に全周に亘って形成された矩形環状をしている。凸部分２９７の頂部は光源カバー２７の内面（裏面）に当接する。これにより、光源カバー２７内での光学部材２９の位置決めができると共に、光学部材２９の熱膨張にも対応できる。
【００３４】
３．回路ユニット
主に、図３、図８〜図１０を用いて説明する。
回路ユニット４は、光源ユニット２との間に間隔が存在する状態で、枠体６に支持されている。回路ユニット４は光源モジュール２５に点灯電力を供給する点灯回路４１を支持板４３の裏面側に備える。なお、点灯回路４１は１つの光源モジュール２５（光源ユニット２）に対して設けられ、例えば図１に示すように光源ユニット２が２個あると、点灯回路４１は合計で２個ある。
回路ユニット４は、点灯回路４１を覆い且つ支持板４３に取り付けられる回路カバー４５を備える。回路ユニット４は、商用電源に接続されたケーブルを接続するための端子台セット４７を備える。なお、回路ユニット４は、点灯回路４１の絶縁性を確保するための絶縁ケース４９を備える。
【００３５】
（１）点灯回路
点灯回路４１は商用電源から受電して点灯電力を生成するための回路を有する。回路は、複数個の電子部品４１１により回路構成され、複数個の電子部品４１１は回路基板４１３に実装されている。なお、図では、複数個の電子部品４１１はブロック状で示している。
回路基板４１３は支持板４３の長手方向に長い矩形状をしている。回路基板４１３の角部に貫通孔４１５を有している。貫通孔４１５は回路基板４１３（点灯回路４１）を支持板４３に固定するための回路固定手段の一例に相当する。なお、貫通孔４１５には固定具の一例であるねじ体４０１が挿通し、ねじ体４０１は、支持板４３の裏面に設けられた凸部のねじ穴又はねじ孔に螺合する。ここでは、凸部としてボス部４４１が利用され、ボス部４４１にねじ孔４４２が設けられている。これにより、回路基板４１３が、ボス部４４１の上面で支持され、支持板４３に対して離間した状態で固定される。なお、回路基板４１３と支持板４３との間には、絶縁ケース４９の底板部４９１が配される。
【００３６】
（２）支持板
支持板４３は点灯回路４１を載置（支持)する回路支持機能を有する。支持板４３は点灯回路４１を固定する回路固定手段を有する。支持板４３は回路カバー４５を装着する回路カバー装着機能を有している。支持板４３は端子台セット４７を固定する端子台固定機能を有している。支持板４３は回路ユニット４を枠体６に連結する連結機能を有している。
【００３７】
支持板４３は光源ユニット２の放熱板２３の投影形状と略同じ投影形状を有している。ここでは、放熱板２３は矩形状の投影形状を有し、支持板４３の投影形状も矩形状又は矩形状に似た形状をしている。
支持板４３は、矩形状又は矩形状に似た平板部４３１と、平板部４３１の周縁から光源ユニット２４側に立設する立設部４３２，４３３とを有する。ここで、平板部４３１の長辺側端縁から立設する立設部を長立設部４３２とし、短辺側端縁から立設する立設部を短立設部４３３とする。なお、長立設部４３２と短立設部４３３とを区別する必要がない場合、立設部４３２，４３３とする。
平板部４３１における短辺の中央部分は長手方向の内側に凹入する欠け部４３４となっている。平板部４３１の欠け部４３４に対して短手方向の両側に短立設部４３３が設けられている。なお、短立設部４３３は各短辺に２個ある。
【００３８】
（２−１）平板部
平板部４３１は、回路基板４１３を支持する回路支持手段と、回路基板４１３を固定する回路固定手段を裏面に備える。ここでの回路支持手段はボス部４４１により構成され、回路固定手段はボス部４４１に形成されたねじ孔４４２により構成される。
平板部４３１は回路カバー４５を装着する回路カバー装着手段を有する。ここでは、回路カバー４５は２種類の回路カバー装着手段により支持板４３に装着される。２つの回路カバー装着手段の一方である第１回路カバー装着手段は固定具を利用し、他方である第２回路カバー装着手段は係合構造を利用している。
第１回路カバー装着手段は、固定具の一例であるねじ体４０２が螺合するねじ孔４４３（図１０参照）により構成される。なお、ねじ孔４４３はベーリング加工により形成されている。第２回路カバー装着手段は、回路カバー４５の屈曲部４５６が挿入して平板部４３１に係合するための貫通孔４４４により構成される。なお、回路カバー４５の屈曲部４５６は、貫通孔４４４に対して裏面側（外部側）から進入して、進入した屈曲部４５６が平板部４３１の貫通孔４４４に対して進入方向側に存在する板部分４３１ａに係合する。なお、貫通孔４４４は、平板部４３１の長手方向に長い矩形状をしている。
【００３９】
平板部４３１は端子台セット４７を固定する端子台固定手段を有する。端子台セット４７の固定には固定具を利用している。ここでの固定具はねじ体４０３であり（図９参照）、端子台固定手段はねじ体４０３用のねじ孔４４５により構成される。なお、ねじ孔４４５はベーリング加工により形成されている。
平板部４３１はねじ体４０３により固定された端子台セット４７が回転移動しないように回転止め手段を有している。回転止め手段は端子台セット４７の屈曲部４７７の表側端部が挿入される貫通孔４４６により構成される。ここでの貫通孔４４６は短手方向に延びる溝状をしている。なお、屈曲部４７７の表側端部は、傾斜部４７５や接続部４７６の表側端部よりも表側に延伸し、屈曲部４７７の表側端部が貫通孔４４６に挿入された状態で端子台セット４７を短手方向に移動させることで、屈曲部４７７の延伸先端部の溝４７８が貫通孔４４６に係合する。
【００４０】
（２−２）立設部
立設部４３２，４３３は、枠体６の連結板６１の連結本部６２及び連結補助部６３の両方に対向するように構成されている。連結板６１に連結された状態において、立設部４３２，４３３は連結板６１の連結本部６２及び連結補助部６３の外側に位置する。これにより、支持板４３（回路ユニット４）は枠体６に対して表裏方向と直交する方向にずれるのを規制できる。
立設部４３２，４３３の一方は、枠体６の連結板６１に連結される回路側連結手段を有している。一方の立設部は長立設部４３２である。ここでの連結には固定具が利用される。固定具として、図３に示すように、ねじ体４０５を利用しており、回路側連結手段はねじ孔４４７により構成される。つまり、長立設部４３２は連結板６１の連結本部６２にねじ体４０５により固定される固定部分の一例となる。なお、立設部４３２，４３３の一方の短立設部４３３は連結本部６２及び連結補助部６３に係合する係合部分の一例となる。
長立設部４３２は薄肉の板状部材から構成されているため、ねじ孔４４７はバーリング加工により形成されている。ねじ孔４４７は長立設部４３２における平板部４３１の長手方向の両端に設けられている。
【００４１】
（３）回路カバー
回路カバー４５は表側が開口する箱状をしている。回路カバー４５は、裏側から見たときに、矩形状の支持板５３の長手方向に長い矩形状をし、表裏方向の寸法が最も小さい直方体状（表側が開口している）をしている。
回路カバー４５は、矩形状の天板部４５１と、天板部４５１の長辺から表側に延伸する長側板部４５２と、天板部４５１の短辺から表側に延伸する短側板部４５３とを有する。
【００４２】
一方の長側板部４５２は端子台セット４７を回路カバー４５の外部に露出させるための開口４５４を有する。開口４５４は２線式の端子台４７１用と３線式の端子台４７２用との２つある。
一方の長側板部４５２は、表側端から短手方向の外方に屈曲する屈曲部４５６を有している。屈曲部４５６は一方の長側板部４５２の長手方向の両端に設けられている。屈曲部４５６は支持板４３の貫通孔４４４に進入して板部分４３１ａに係合する。つまり、屈曲部４５６は第１回路カバー装着手段の一例を構成する。
他方の長側板部４５２は、表側端の全長に亘って短手方向の外方に屈曲する屈曲部４５７を有している。屈曲部４５７は一方の長側板部４５２の長手方向の両端側に貫通孔４５８を有する。貫通孔４５８には、回路カバー４５を支持板４３に固定するための固定具であるねじ体４０２が挿通する。つまり、屈曲部４５７の貫通孔４５８は第２回路カバー装着手段の一例を構成する。
【００４３】
（４）端子台セット
端子台セット４７は、図示しない商業電源側のケーブルとの接続を容易にするためのものである。端子台セット４７は、端子台と、端子台を搭載する端子搭載板４７４とを有する。
端子台は、ここでは、２線式の差し込みタイプの２線端子台４７１と、３線式の差し込みタイプの３線端子台４７２の二種類である。なお、２線端子台４７１と３線端子台４７２とを区別する必要がない場合は、単に端子台４７１，４７２とする。
【００４４】
端子搭載板４７４は、端子台４７１，４７２のケーブル差し込み口が回路カバー４５の開口から外部に張り出すように、端子台４７１，４７２を搭載する。ここでは、端子台４７１，４７２へのケーブルの差し込みが回路カバー４５の長側板部４５２に沿うように搭載される。端子台４７１，４７２へのケーブルの差し込み方向が回路カバー４５の長側板部４５２に対して傾斜するように搭載される。傾斜方向は、端子台４７１，４７２の差し込み口に近づくにしたがって長側板部４５２に近づく方向である。これにより、端子台４７１、４７２への（特に４７１）ケーブルの差し込み方向が長側板部４５２に平行に向いている場合より、ケーブルの差し込みの作業が容易となる。
端子搭載板４７４は、支持板４３の平板部４３１に対して立設するように、固定される。端子搭載板４７４は、２線端子台４７１と３線端子台４７２とを支持板４３の長手方向に併設する状態で、搭載する。なお、端子台４７１，４７２は端子搭載板４７４にねじ体により固定される。
【００４５】
端子搭載板４７４は、回路カバー４５の長側板部４５２に対して傾斜する２つの傾斜部４７５と、２つの傾斜部４７５を接続する接続部４７６とを有する。２つの傾斜部４７５は略平行に設けられている。傾斜部４７５に端子台４７１，４７２が固定される。
端子搭載板４７４は、２つの傾斜部４７５における長手方向の両端から短手方向の内方へと屈曲する屈曲部４７７を有している。屈曲部４７７の表側端部は、傾斜部４７５の表側端よりも表側に突出し、当該突出部分に溝４７８を有している。溝４７８は支持板４３の平板部４３１の貫通孔４４６に係合する。つまり、屈曲部４７７の表側端部及び表側端部の貫通孔４４６が端子台セット４７の回転を防止する回転止め手段の一例を構成する。
端子搭載板４７４は、接続部４７６の表側端部から短手方向（の内側）へと屈曲する屈曲片４８０を有し、屈曲片４８０に貫通孔４８１を有している。貫通孔４８１には端子搭載板４７４を支持板４３に固定するための固定具であるねじ体４０３が挿通する。つまり、屈曲片４８０の貫通孔４８１が端子台固定手段の一例を構成する。
【００４６】
（５）絶縁ケース
絶縁ケース４９は、点灯回路４１と支持板４３の間及び点灯回路４１と回路カバー４５の長側板部４５２との間に配される。なお、点灯回路４１と回路カバー４５の短側板部４５３とが離れているため絶縁ケース４９は配されていない。
絶縁ケース４９は、矩形状の底板部４９１と、底板部４９１の短手方向の端縁から立設する立設部４９３とを有している。底板部４９１が点灯回路４１と支持板４３の間に、立設部４９３が点灯回路４１と回路カバー４５の長側板部４５２との間にそれぞれ位置する。
底板部４９１には、支持板４３のボス部４４１用の欠け部４９５や貫通孔４９７を有する。底板部４９１は支持板４３の貫通孔４４８に取り付けられるブッシュ４０７用の欠け部４９９を有する。
【００４７】
４．枠体
主に図１１を用いて説明する。
枠体６は放熱板２３と支持板４３とを対向状態で連結する２枚の連結板６１（図２）を備える。２枚の連結板６１は、放熱板２３及び支持板４３における長手方向の両端部同士を連結する。連結板６１は例えば１枚の金属板をプレス加工することで得られる。
連結板６１は、放熱板２３と支持板４３とを連結する一対の連結本部６２と、一対の連結本部６２同士を連結する連結補助部６３とを有する。連結板６１は、アーム９に取り付けるための取付部６４を有している。取付部６４は連結補助部６３を利用して設けられている。
連結板６１は、放熱板２３と支持板４３との主面が対向する方向（表裏方向）に延伸する連結本部６２と、放熱板２３と支持板４３の長手方向と直交する方向（短手方向）に延伸する連結補助部６３とを有する。連結板６１は、連結補助部６３を一対の連結本部６２における支持板４３側に有する「Ｕ」字状をしている。
【００４８】
連結本部６２は放熱板２３の立設部２４１，２４２及び支持板４３の立設部４３２，４３３に当接する当接部分を有する。
長立設部２４１の端部の外面に当接する当接部分を長当接部分６５とし、短立設部２４２の端部の外面に当接する当接部分を短当接部分６６とする。換言すると、長立設部４３２の端部の内面に当接する当接部分を長当接部分６５とし、短立設部４３３の端部の内面に当接する当接部分を短当接部分６６とする。
なお、長当接部分６５は本発明の「第２当接部分」の一例に相当し、短当接部分６６は本発明の「第１当接部分」の一例に相当する。連結本部６２は長当接部分６５と短当接部分６６とを直交する状態で有する。
【００４９】
（１）光源ユニットとの連結
連結本部６２における光源ユニット２側に存在する端部は、放熱板２３の立設部２４１，２４２に固定具により固定される固定部分と、放熱板２３の平板部２３１又は立設部２４１，２４２に表側から係合する係合部分とを有する。ここでは、固定部分が長当接部分６５にあり、係合部分が短当接部分６６にある。
長当接部分６５の端部を放熱板２３に固定する固定具の一例はねじ体２０５であり、長当接部分６５の端部に貫通孔６７を有する。つまり、長当接部分６５は、図１３に示すように、放熱板２３の長立設部２４１の外側に位置する状態で、ねじ体２０５が貫通孔６７を挿通して長立設部２４１のねじ孔２４４（図４参照）に螺合することで、固定される。すなわち、長当接部分６５の端部の貫通孔６７は第１光源側連結手段の一例を構成する。
短当接部分６６の表側端部は、短当接部分６６の裏側に折り曲げられた係止片６８となっており、放熱板２３の短立設部２４２と平板部２３１との境界部分に存在する貫通孔２４５（図４参照）に係合する。つまり、短当接部分６６の端部の係止片６８は第２光源側連結手段の一例を構成する。
【００５０】
（２）回路ユニットとの連結
連結本部６２における回路ユニット４側に存在する端部は、支持板４３の立設部４３２，４３３に固定具により固定される固定部分の一例である。長当接部分６５の端部を支持板４３に固定する固定具の一例はねじ体４０５であり（図３参照）、長当接部分６５の端部に貫通孔６９を有する。つまり、長当接部分６５は、図１２及び図１３に示すように、支持板４３の長立設部４３２の内側に位置する状態で、ねじ体４０５が貫通孔６９を挿通して長立設部４３２のねじ孔４４７に螺合することで、固定される。すなわち、長当接部分６５の端部の貫通孔６９は回路側連結手段の一例を構成する。なお、貫通孔６９はバーリング加工されている。
連結本部６２における回路ユニット４側に存在する端部は、支持板４３の立設部４３２，４３３に外側から係合される係合部分の一例となる。
連結板６１は、連結本部６２の短当接部分６６及び連結補助部６３の回路ユニット４側の端部から内側（支持板４３側）へ屈曲する屈曲部分７１を有する。屈曲部分７１は支持板４３の平板部４３１を表側から当接（支持）する。屈曲部分７１は、支持板４３の平板部４３１の短手方向の両端に間隔をおいて設けられている。
【００５１】
（３）アームとの取り付け
取付部６４は、連結補助部６３における支持板４３の短手方向の中央部から裏方向に延伸する延伸部分７３を有する。延伸部分７３は２個の屈曲部分７１間に設けられている。
アーム９との取り付けにボルト８８を利用しており（図１参照）、延伸部分７３の裏面にボルト８８用のナット７４が表裏方向に２個有している。なお、ナット７４は例えば溶接により取り付けられている。
取付部６４は、例えば、図１に示すように、２個の装置本体８を併設した状態で、アーム９の取付板９０に取り付けるための取付手段を有している。ここでの取り付けには、固定具の一例としてのねじ体８９を利用しており、当該ねじ体８９用のねじ孔７５を延伸部分７３及び連結補助部６３に有している。ねじ孔７５は、２個のナット７４の周辺に４個あり、各短当接部分６６における回路ユニット４側の端部に１個あり、合計６個ある。ナット７４周辺の４個のねじ孔７５は方形状の角に相当する位置に設けられている。
【００５２】
５．アーム
主に、図１及び図２を用いて説明する。
アーム９は装置本体８を設置面に取り付ける取付機能を有する。アーム９は、装置本体８が１個の場合は装置本体８に直接取り受けられ、装置本体８が図１に示すように２個の場合は取付板９０を介して２個の装置本体８に取り付けられる。
アーム９は、「Ｕ」字状をするアーム本体９１を備える。アーム本体９１は、設置面に固定される設置面側固定部９２と、装置本体８側に固定される装置側固定部９３とを有する。設置面側固定部９２は回路ユニット４の支持板４３の長手方向に延伸している。設置面側固定部９２は固定用の貫通孔９４を複数個有している。装置側固定部９３は設置面側固定部９２の長手方向の両端から直交する方向に延伸する。装置側固定部９３は延伸先端部に貫通孔を有する。装置本体８の枠体６の連結板６１に取り付けられる場合は、連結板６１のナット７４（図１１参照）に螺合するボルトが貫通孔を挿通する。装置本体８が図１に示すように２個の場合、取付板９０に取付けられたナット体９９に螺合するボルト８８が貫通孔を挿通する。
貫通孔の一方は、他の貫通孔を挿通するボルト８８の中心軸を回転中心とする円弧状をしている。ここでは表側に位置する貫通孔である。これにより、アーム９は装置本体８の姿勢を調整可能に固定できる。
【００５３】
取付板９０は、２個の装置本体８を併設する状態で連結し、アーム９に取り付けられる。なお、ここでの併設する状態とは、矩形状の放熱板２３や支持板４３のおける短手方向に配された状態である。取付板９０は、併設する２個の装置本体８の連結板６１同士を連結する連結部９５と、アーム９の装置側固定部９３に固定されるアーム側固定部９６とを有する。
連結部９５は、併設する２個１組の連結板６１の連結補助部６３と平行な板状をしている。連結部９５は複数個の貫通孔９７を有している。この貫通孔９７は各連結板６１のねじ孔７５に対応して設けられている。貫通孔９７には、連結板６１のねじ孔７５に螺合するねじ体８９が挿通する。
連結部９５は、表側端から内側（装置本体８側）に屈曲する屈曲片９８を有している。屈曲片９８は、連結部９５がねじ体８９で連結板６１に固定された際に、連結板６１の連結補助部６３の表側端の屈曲部分７７に表側から当接（係合）する。
アーム側固定部９６は取付板９０の裏側端であって併設方向の略中央から裏側に延伸する。アーム側固定部９６は貫通孔とナット体９９とを有する。ナット体９９はアーム側固定部９６の裏面に一体に設けられ、ナット体９９のねじ孔と貫通孔とは連続する。アーム本体９１と取付板９０とはボルト８８で固定され、ボルト８８が貫通孔を挿通した後、ナット体９９に螺合する。
【００５４】
６．組立
（１）光源ユニット２と回路ユニット４との連結に２枚の連結板６１を利用しているため、容易に両ユニットを連結できる。
（２）光源カバー２７の放熱板２３への装着は、ねじ体２０１を利用した第１カバー装着手段と、係合構造を利用した第２カバー装着手段との２種類で行っている。このため、光源カバー２７が放熱板２３から外れ難くできる。
（３）光源ユニット２の枠体６への組込みは、ねじ体２０５を利用した第１光源側連結手段と、係合構造を利用した第２光源側連結手段との２種類で行っている。このため、光源ユニット２が枠体６から外れ難くできる。
（４）回路ユニット４の枠体６への組込みはねじ体４０５を利用した回路側連結手段で行い、支持板４３の立設部４３２，４３３が連結板６１の連結本部６２と連結補助部６３とに外側から係合する。このため、回路ユニット４が枠体６に対してスライドすることがなく、ねじ体４０５の緩みを生じ難くできる。
（５）回路カバー４５の支持板４３へ装着は、ねじ体４０３を利用した第１回路カバー装着手段と、係合構造を利用した第２回路カバー装着手段との２種類で行っている。このため、回路カバー４５が支持板４３に対してスライドし難くなり、ねじ体４０３の緩みを生じ難くできる。また、回路カバー４５が支持板４３から外れ難くできる。
（６）２個の装置本体８とアーム９との取付板９０を介しての取付はねじ体８９を利用し、屈曲片９８が連結板６１の屈曲部分７７に表側から係合する。このため、装置本体８をアーム９から外れ難くできる。
これら実施例で示した照明装置の主要な構成部材は複数の連結手段で連結されており、各連結手段が支持対象の構成部材を支持するのに十分な機械的強度を一種類の連結手段だけで有しているため、一方の連結手段に不具合が生じた場合でも、他方の連結手段が部材を支えるので、部材の落下等の可能性が低減された構造となっている。
なお、複数の連結手段は、連結構造や連結機能が異なる複数種類の連結手段をいい、例えば、係合・被係合が逆構造の２つの係合手段は複数の連結手段に含まれず、例えば螺合構造の連結手段と係合構造の連結手段のような場合をいう。なお、各連結構造や連結機能の連結手段を複数個（複数個所）備えてもよい。
【００５５】
以上、各実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００５６】
＜変形例＞
（１）実施形態では、２個の装置本体に対して１個のアームが取付けられている。しかしながら、１個のアームに１個の装置本体が取付けられてもよい。
（２）実施形態の支持板及び放熱板は矩形状をしていたが、他の形状であってもよい。また、連結板は矩形状の支持板と放熱板との短辺側端部（長手方向の両端部）同士を連結しているが、長辺側端部（短手方向の両端部）同士を連結してもよい。なお、枠体の組み立ての効率を考慮しなければ、連結板は３枚以上あってもよい。
（３）実施形態では２個の装置本体が支持板や放熱板の短手方向に併設されているが、長手方向に並設してもよいし、短手方向又は長手方向に３個以上並設してもよいし、短手方向及び長手方向に複数個配してもよい。
（４）連結板の連結本部は放熱板の立設部の外面に当接しているが、内面に当接してもよい。また、長当接部分が長立設部の外面に当接し、短当接部分が短立設部の内面に当接してもよいし、この逆であってもよい。
【００５７】
（５）連結板の連結本部及び連結補助部は支持板の立設部の内面に当接しているが、外面に当接してもよい。また、長当接部分が長立設部の外面に当接し、短当接部分及び連結補助部が短立設部の内面に当接してもよいし、この逆であってもよい。
（６）連結板と放熱板との連結は、長当接部分がねじ体で固定され、短当接部分が係止片を有しているが、長当接部分が係止片を有し、短当接部分がねじ体で固定されてもよいし、短当接部分及び長当接部分の少なくとも一方が係止片を有し、ねじ体で固定されても良いし、短当接部分及び長当接部分の両方が係止片を有し、ねじ体で固定されても良い。
（７）連結板と支持板との連結は、長当接部分がねじ体で固定されているが、短当接部分がねじ体で固定されてもよいし、短当接部分及び長当接部分の両方がねじ体で固定されても良い。
【００５８】
（８）実施形態の固定具としてねじ体が利用されているが、例えば、ピンやリベットであってもよい。
（９）実施形態の係合構造の関係は一例であり、係合関係が逆であってもよい。具体例で説明すると、実施形態での光源カバー２７の突出片２８７は凸部２８９を有し、放熱板２３の立設部２４１，２４２は貫通孔２４３を有しているが、突出片が貫通孔を有し、立設部が凸部を有してもよい。
（１０）回路カバーの長手方向に沿って２台の端子台が併設されているが、例えば、２台の端子台を表裏方向に併設して備えてもよい。
（１１）実施形態では、１個の光源ユニットに１個の回路ユニットを有しているが、複数個の光源ユニットに対して１個の回路ユニットを有してもよい。
【符号の説明】
【００５９】
１    照明装置
２    光源ユニット
４    回路ユニット
６    枠体
８    装置本体
６１    連結板
【図１】
2018195459.tif 000003
【図２】
2018195459.tif 000004
【図３】
2018195459.tif 000005
【図４】
2018195459.tif 000006
【図５】
2018195459.tif 000007
【図６】
2018195459.tif 000008
【図７】
2018195459.tif 000009
【図８】
2018195459.tif 000010
【図９】
2018195459.tif 000011
【図１０】
2018195459.tif 000012
【図１１】
2018195459.tif 000013
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
２個以上の装置本体が併設状態で取付板により連結されてなる照明装置であって、
前記装置本体は、
裏面に放熱フィンが設けられた放熱板の表面に光源モジュールを備える光源ユニットと、
前記光源モジュールに点灯電力を供給する点灯回路を支持板の裏面に備える回路ユニットと、
前記放熱板と前記支持板とを対向状態で連結する２枚の連結板を備える枠体と
を備え、
前記取付板は、前記併設方向に隣接する２枚の前記連結板同士を連結する
照明装置。
【請求項２】
前記連結板は、前記放熱板と前記支持板とを連結する一対の連結本部と、前記一対の連結本部同士を連結する連結補助部とを有し、
前記取付板は前記連結補助部の表側端に係合する屈曲片を有する
請求項１に記載の照明装置。
【請求項３】
前記連結板は前記連結補助部の表側端に屈曲部分を有し、
前記屈曲片は前記屈曲部分に係合する
請求項２に記載の照明装置。
【請求項４】
前記取付板は、前記連結補助部と平行な板状の連結部を有し、
前記取付板が前記連結補助部に係合する状態で、前記連結部がねじ体により前記連結板に固定されている
請求項２又は３に記載の照明装置。
【請求項５】
前記放熱板は、方形状、矩形状又はこれらに近い形状をする平板部と、前記平板部の周縁から前記回路ユニット側に立設する立設部とを有し、
前記連結本部における前記光源ユニット側に存在する端部は、前記放熱板の立設部に表側から係合する係合部分を有する
請求項２〜４の何れか１項に記載の照明装置。
【請求項６】
前記連結本部は、前記放熱板の平板部における第１方向の端部に位置する立設部に当接する第１当接部分と、前記放熱板の平板部における前記第１方向と直交する第２方向の端部に位置する立設部に当接する第２当接部分とを有し、
前記第１当接部分及び前記第２当接部分の少なくとも一方に前記係合部分が設けられている
請求項５に記載の照明装置。
【請求項７】
前記支持板は、方形状、矩形状又はこれらに近い形状をする平板部と、前記平板部の周縁から前記光源ユニット側に立設する立設部とを有し、
前記連結板の前記連結本部及び前記連結補助部の少なくとも一方は、前記支持板の前記立設部と対向する
請求項３〜５の何れか１項に記載の照明装置。
【請求項８】
放熱フィンは、薄肉金属板からなり、横断面が「コ」字状をしている
請求項１〜７の何れか１項に記載の照明装置。